(57)【要約】【課題】  冷媒ガスを吸引圧縮する圧縮機構と、圧縮機構を収容するハウジングとを備える圧縮機であって、圧縮機構駆動用回転軸のハウジング貫通部を除く、ハウジングからの冷媒ガスの漏出が防止された圧縮機を提供する。【解決手段】  冷媒ガスを吸入圧縮する圧縮機構と、圧縮機構を収容するハウジングとを備え、ハウジングの外面全体に冷媒ガス不透過性の皮膜が形成されている。【選択図】  図１
2005248873.tif 000002
【特許請求の範囲】
【請求項１】
冷媒ガスを吸入圧縮する圧縮機構と、圧縮機構を収容するハウジングとを備え、ハウジングの外面全体に冷媒ガス不透過性の皮膜が形成されていることを特徴とする圧縮機。
【請求項２】
前記皮膜は金属皮膜であることを特徴とする請求項１に記載の圧縮機。
【請求項３】
前記皮膜はセラミック皮膜であることを特徴とする請求項１に記載の圧縮機。
【請求項４】
前記皮膜は非晶質硬質炭素皮膜であることを特徴とする請求項１に記載の圧縮機。
【請求項５】
前記皮膜は高分子皮膜であることを特徴とする請求項１に記載の圧縮機。
【請求項６】
前記皮膜はポリエチレン皮膜であることを特徴とする請求項５に記載の圧縮機。
【請求項７】
前記皮膜はポリテトラフルオロエチレン皮膜であることを特徴とする請求項５に記載の圧縮機。
【発明の詳細な説明】
【技術分野】
【０００１】
本発明は、冷媒ガスを吸入圧縮する圧縮機構と、圧縮機構を収容するハウジングとを備える圧縮機に関するものである。
【背景技術】
【０００２】
冷媒ガスを吸引圧縮する圧縮機構と、圧縮機構を収容するハウジングとを備える圧縮機であって、圧縮機構駆動用回転軸の外周面に接触するシールリップ部を有し高圧側に配設されたゴム弾性体製の第１シール部材と、内周縁が高圧側へ湾曲して形成したシールリップ部を回転軸外周面に接触させ、第１シール部材に隣接して且つ第１シール部材よりも低圧側に配設された合成樹脂製の第２シール部材とを有する軸封装置を備える圧縮機が特許文献１に開示されている。
特許文献１の圧縮機においては、軸封装置により、回転軸のハウジング貫通部からの冷媒ガスの漏出が防止される。
【特許文献１】特許第２８４７２７７号公報
【発明の開示】
【発明が解決しようとする課題】
【０００３】
圧縮機のハウジングは複数の部分ハウジングの集合体である。部分ハウジング同士の継ぎ目、複数の部分ハウジングを一体に結合するための通しボルトのハウジング貫通部等に生ずる隙間から冷媒ガスがハウジング外へ漏出する冷媒ガスの隙間漏れ、前記隙間をシールするために配設されるガスケットやＯリングを透過して冷媒ガスがハウジング外へ漏出する冷媒ガスの透過漏れは、文献１の技術では阻止することができない。
【０００４】
本発明は上記問題に鑑みてなされたものであり、冷媒ガスを吸引圧縮する圧縮機構と、圧縮機構を収容するハウジングとを備える圧縮機であって、圧縮機構駆動用回転軸のハウジング貫通部を除く、ハウジングからの冷媒ガスの漏出が防止された圧縮機を提供することを目的とする。
【課題を解決するための手段】
【０００５】
上記課題を解決するために、本発明においては、冷媒ガスを吸引圧縮する圧縮機構と、圧縮機構を収容するハウジングとを備え、ハウジングの外面全体に冷媒ガス不透過性の皮膜が形成されていることを特徴とする圧縮機を提供する。
本発明に係る圧縮機においては、ハウジングの外面全体に冷媒ガス不透過性の皮膜が形成されているので、圧縮機構駆動用回転軸のハウジング貫通部を除く、ハウジングからの冷媒ガスの漏出が防止される。
【０００６】
本発明の好ましい態様においては、冷媒ガス不透過性の皮膜は金属皮膜である。
本発明の好ましい態様においては、冷媒ガス不透過性の皮膜はセラミック皮膜である。
本発明の好ましい態様においては、冷媒ガス不透過性の皮膜は非晶質硬質炭素皮膜である。
本発明の好ましい態様においては、冷媒ガス不透過性の皮膜は高分子皮膜である。
本発明の好ましい態様においては、冷媒ガス不透過性の皮膜はポリエチレン皮膜である。
本発明の好ましい態様においては、冷媒ガス不透過性の皮膜はポリテトラフルオロエチレン皮膜である。
冷媒ガス不透過性の皮膜は金属皮膜でも良く、セラミック皮膜でも良く、非晶質硬質炭素皮膜でも良く、高分子皮膜でも良い。高分子皮膜の具体例として、ポリエチレン皮膜や、ポリテトラフルオロエチレン皮膜が挙げられる。
【発明の効果】
【０００７】
本発明に係る圧縮機においては、ハウジングの外面全体に冷媒ガス不透過性の皮膜が形成されているので、圧縮機構駆動用回転軸のハウジング貫通部を除く、ハウジングからの冷媒ガスの漏出が防止される。
【発明を実施するための最良の形態】
【０００８】
本発明の実施例に係る斜板式圧縮機を説明する。
【実施例１】
【０００９】
図１に示すように、斜板式圧縮機Ａは、回転軸１０と、回転軸１０に固定された斜板１１とを備えている。
斜板１１の周縁部に摺接する一対のシュー１２を介してピストン１３が斜板１２に係留されている。
ピストン１３は、シリンダブロック１４に形成されたボア１４ａに挿入されている。
斜板１１、ピストン１３、シリンダボア１４ａ、シリンダボア１４ａへの冷媒ガスの出入りを規制する吸入弁、吐出弁等により、斜板式圧縮機構が形成されている。
回転軸１０、斜板１１を収容するクランク室１５を形成する有底円筒状のフロントハウジング１６が配設されている。回転軸１０は、フロントハウジング１６を貫通して外部へ延びている。
【００１０】
回転軸１０のフロントハウジング貫通部を密封する軸封部材１７が配設されている。軸封部材１７が有するシールリップ部が回転軸１０の周側面に押し付けられて前記周側面に摺接し、回転軸１０のフロントハウジング貫通部をシールする。
【００１１】
図示しない外部駆動源から回転軸１０の先端部に回転動力が伝達される。
吸入室と吐出室とを形成するシリンダヘッド１８が配設されている。
シリンダブロック１４とシリンダヘッド１８との間にボア１４ａに連通する吸入孔と吐出孔とが形成された弁板１９が配設されている。
【００１２】
フロントハウジング１６、シリンダブロック１４、弁板１９、シリンダヘッド１８は、通しボルト２０により一体に組み付けられている。フロントハウジング１６、シリンダブロック１４、シリンダヘッド１８は、斜板式圧縮機構を収容するハウジングを形成している。
フロントハウジング１６とシリンダブロック１４との接合部にガスケット２１が介挿され、シリンダブロック１４とシリンダヘッド１８との接合部、より具体的には弁板１９とシリンダブロック１４、シリンダヘッド１８との接合部に、ガスケット２２、２３が介挿され、該部をシールしている。
通しボルト２０のフロントハウジング貫通部には図示しないＯリングが配設され、該部をシールしている。
回転軸１０はフロントハウジング１６、シリンダブロック１４により回転可能に支持されている。
【００１３】
ハウジングの外面全体が冷媒ガス不透過性の軟質金属の皮膜２４で覆われている。軟質金属として錫(Sn)、および銅(Cu)、ニッケル(Ni)、亜鉛(Zn)等の錫を含む合金が挙げられる。
【００１４】
斜板式圧縮機Ａにおいては、図示しない外部駆動源の回転動力が回転軸１０に伝達され、回転軸１０の回転が斜板１１に伝達される。斜板１１の回転に伴う斜板１１周縁部の回転軸１０延在方向の往復動が、シュー１２を介してピストン１３に伝達され、ピストン１３がボア１４ａ内で往復動する。外部冷凍回路から還流した冷媒が、シリンダヘッド１８に形成された吸入ポートと吸入室と吸入孔と図示しない吸入弁とを介してボア１４ａへ吸入され、ボア１４ａ内で圧縮され、吐出孔と図示しない吐出弁と吐出室とシリンダヘッド１８に形成された吐出ポートとを介して外部冷凍回路へ流出する。
軸封装置１９により、回転軸１０のフロントハウジング貫通部からの冷媒ガスの漏出が防止される。
ガスケット２１〜２３により、ハウジングを形成するフロントハウジング１６、シリンダブロック１４、シリンダヘッド１８の継ぎ目からの、冷媒ガスの隙間漏れが防止される。
図示しないＯリングにより、通しボルト２０のフロントハウジング貫通部からの冷媒ガスの隙間漏れが防止される。
ハウジングの外面全体を覆う冷媒ガス不透過性の軟質金属の皮膜により、ハウジングを形成するフロントハウジング１６、シリンダブロック１４、シリンダヘッド１８の継ぎ目からの冷媒ガスの隙間漏れ、通しボルト２０のフロントハウジング貫通部からの冷媒ガスの隙間漏れが完全に防止され、更にガスケット２１〜２３、Ｏリングからの冷媒ガスの透過漏れが防止される。この結果、回転軸１０のフロントハウジング貫通部を除く、ハウジングからの冷媒ガスの漏出が完全に防止される。
【００１５】
上記実施例では、ハウジングの外面全体を冷媒ガス不透過性の軟質金属の皮膜２４で覆ったが、ハウジングの外面全体を、炭化珪素(SiC)、アルミナ(Al2O3)、窒化珪素(Si3N4)、ジルコニア(ZrO2)等の冷媒ガス不透過性のセラミック皮膜や、冷媒ガス不透過性の非晶質硬質炭素(DLC)皮膜、ポリエチレンやポリテトラフルオロエチレン(PTFE)等の冷媒ガス不透過性の高分子材料皮膜で覆っても良い。回転軸１０のフロントハウジング貫通部を除く、ハウジングからの冷媒ガスの漏出が完全に防止される。
【産業上の利用可能性】
【００１６】
本発明は斜板式圧縮機のみならず、種々の冷媒ガスを吸引圧縮する全ての形式の圧縮機に広く利用可能である。
【図面の簡単な説明】
【００１７】
【図１】本発明の実施例に係る斜板式圧縮機の断面図である。
【符号の説明】
【００１８】
Ａ  斜板式圧縮機
１０  回転軸
１１  斜板
１２  シュー
１３  ピストン
１４  シリンダブロック
１６  フロントハウジング
１７  軸封部材
１８  シリンダヘッド
２０  通しボルト
２１、２２、２３  ガスケット
２４  冷媒ガス不透過性の軟質金属の皮膜
【図１】
2005248873.tif 000003